(57)【要約】  本願の実施例は指示方法、検出方法及び関連装置を提供する。本願では、ネットワーク装置がユーザー装置にいくつかの周波数領域範囲内のＳＳＢの周波数領域位置を示すことにより、ユーザー装置がＳＳＢなしの周波数領域範囲内において無駄なサーチを行うことを回避し、ユーザー装置の初期サーチ過程を加速し、更に初期サーチ過程における消費電力を低減し、ユーザー装置が異なる通信事業者の異なる周波数領域範囲内のＳＳＢをサーチすることに役立つ。
2021513807.tif 000002
【特許請求の範囲】
【請求項１】
指示方法であって、
ネットワーク装置は第１周波数領域範囲内の同期信号ブロック（ＳＳＢ）の第１周波数領域位置を示すための指示をユーザー装置に送信することを含むことを特徴とする指示方法。
【請求項２】
前記ＳＳＢは残りの最小システム情報（ＲＭＳＩ）に関連付けられることを特徴とする請求項１に記載の方法。
【請求項３】
前記ネットワーク装置が、第１周波数領域範囲内のＳＳＢの第１周波数領域位置を示すための指示をユーザー装置に送信することは、
前記ネットワーク装置は前記第１周波数領域範囲を示すための第１メッセージを前記ユーザー装置に送信することと、
前記ネットワーク装置は前記ＳＳＢの前記第１周波数領域位置を示すための第２メッセージを前記ユーザー装置に送信することと、を含むことを特徴とする請求項１又は２に記載の方法。
【請求項４】
前記ネットワーク装置は物理放送チャネル（ＰＢＣＨ）における第１情報フィールドによって前記第２メッセージをベアリングし、前記第１情報フィールドはＲＭＳＩの制御リソースセット（ＣＯＲＥＳＥＴ）情報フィールドを含むことを特徴とする請求項３に記載の方法。
【請求項５】
前記ネットワーク装置は物理放送チャネル（ＰＢＣＨ）における前記第１情報フィールド以外の第２情報フィールドによって前記第１メッセージをベアリングすることを特徴とする請求項４に記載の方法。
【請求項６】
前記第２情報フィールドは物理リソースブロック（ＰＲＢ）グリッドオフセット（ｇｒｉｄ  ｏｆｆｓｅｔ）情報フィールドにおけるリザーブ値、ＲＭＳＩのサブキャリア間隔（ＳＣＳ）情報、セルアクセス禁止指示情報、同一周波数再選択情報のうちの少なくとも１つを含むことを特徴とする請求項５に記載の方法。
【請求項７】
前記第２メッセージは周波数領域位置情報を含み、前記周波数領域位置情報は位置情報を含み、前記周波数領域位置情報はＳＳＢの前記第１周波数領域範囲内の同期ラスタでの絶対位置を示し、又は、前記周波数領域位置情報は周波数領域オフセットを含み、前記周波数領域オフセットは前記第１周波数領域位置の位置する同期ラスタとＰＢＣＨの位置するＳＳＢに対応する同期ラスタとの間隔であることを特徴とする請求項２〜６のいずれか１項に記載の方法。
【請求項８】
検出方法であって、
ユーザー装置はネットワーク装置からの、第１周波数領域範囲内の同期信号ブロック（ＳＳＢ）の第１周波数領域位置を示すための指示を受信することと、
前記ユーザー装置が前記指示に基づいてＳＳＢを検出することと、を含むことを特徴とする検出方法。
【請求項９】
前記ＳＳＢは残りの最小システム情報（ＲＭＳＩ）に関連付けられることを特徴とする請求項８に記載の方法。
【請求項１０】
前記ユーザー装置がネットワーク装置からの、第１周波数領域範囲内のＳＳＢの第１周波数領域位置を示すための指示を受信することは、
前記ユーザー装置は前記ネットワーク装置からの、前記第１周波数領域範囲を示すための第１メッセージを受信することと、
前記ユーザー装置は前記ネットワーク装置からの、前記ＳＳＢの前記第１周波数領域位置を示すための第２メッセージを受信することと、を含むことを特徴とする請求項８又は９に記載の方法。
【請求項１１】
前記ネットワーク装置は物理放送チャネル（ＰＢＣＨ）における第１情報フィールドによって前記第２メッセージをベアリングし、前記第１情報フィールドはＲＭＳＩの制御リソースセット（ＣＯＲＥＳＥＴ）情報フィールドを含むことを特徴とする請求項１０に記載の方法。
【請求項１２】
前記ネットワーク装置は物理放送チャネル（ＰＢＣＨ）における前記第１情報フィールド以外の第２情報フィールドによって前記第１メッセージをベアリングすることを特徴とする請求項１１に記載の方法。
【請求項１３】
前記第２情報フィールドは物理リソースブロック（ＰＲＢ）グリッドオフセット（ｇｒｉｄ  ｏｆｆｓｅｔ）情報フィールドにおけるリザーブ値、ＲＭＳＩのサブキャリア間隔（ＳＣＳ）情報、セルアクセス禁止指示情報、同一周波数再選択情報のうちの少なくとも１つを含むことを特徴とする請求項１２に記載の方法。
【請求項１４】
前記第２メッセージは周波数領域位置情報を含み、前記周波数領域位置情報は位置情報を含み、前記周波数領域位置情報はＳＳＢの前記第１周波数領域範囲内の同期ラスタでの絶対位置を示し、又は、前記周波数領域位置情報は周波数領域オフセットを含み、前記周波数領域オフセットは前記第１周波数領域位置の位置する同期ラスタとＰＢＣＨの位置するＳＳＢに対応する同期ラスタとの間隔であることを特徴とする請求項９〜１３のいずれか１項に記載の方法。
【請求項１５】
ネットワーク装置であって、処理ユニット及び通信ユニットを備え、
前記処理ユニットは、第１周波数領域範囲内の同期信号ブロック（ＳＳＢ）の第１周波数領域位置を示すための指示を前記通信ユニットによってユーザー装置に送信することに用いられることを特徴とするネットワーク装置。
【請求項１６】
ユーザー装置であって、処理ユニット及び通信ユニットを備え、
前記処理ユニットは、ネットワーク装置からの、第１周波数領域範囲内の同期信号ブロック（ＳＳＢ）の第１周波数領域位置を示すための指示を前記通信ユニットによって受信することに用いられ、
前記処理ユニットは更に、前記指示に基づいてＳＳＢを検出することに用いられることを特徴とするユーザー装置。
【請求項１７】
ネットワーク装置であって、１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは請求項１〜７のいずれか１項に記載の方法におけるステップを実行するための命令を含むことを特徴とするネットワーク装置。
【請求項１８】
ユーザー装置であって、１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは請求項８〜１６のいずれか１項に記載の方法におけるステップを実行するための命令を含むことを特徴とするユーザー装置。
【請求項１９】
コンピュータ可読記憶媒体であって、電子データ交換のためのコンピュータプログラムが記憶され、前記コンピュータプログラムによってコンピュータが請求項１〜７のいずれか１項に記載の方法におけるステップの命令を実行することを特徴とするコンピュータ可読記憶媒体。
【請求項２０】
コンピュータ可読記憶媒体であって、電子データ交換のためのコンピュータプログラムが記憶され、前記コンピュータプログラムによってコンピュータが請求項８〜１６のいずれか１項に記載の方法におけるステップの命令を実行することを特徴とするコンピュータ可読記憶媒体。
【発明の詳細な説明】
【技術分野】
【０００１】
本願は通信技術分野に関し、具体的に指示方法、検出方法及び関連装置に関する。
【背景技術】
【０００２】
初期アクセスするユーザー装置（ＵＥ、Ｕｓｅｒ  Ｅｑｕｉｐｍｅｎｔ）に対して、ユーザー装置はネットワーク装置からシステムメッセージを取得してネットワーク装置にアクセスする必要がある。該システムメッセージは残りの最小システム情報（ＲＭＳＩ、Ｒｅｍａｉｎｉｎｇ  ｍｉｎｉｍｕｍ  ｓｙｓｔｅｍ  ｉｎｆｏｒｍａｔｉｏｎ）を含む。ＲＭＳＩは同期信号ブロック（ＳＳＢ、Ｓｙｎｃｈｒｏｎｉｚａｔｉｏｎ  Ｓｉｇｎａｌ  Ｂｌｏｃｋ）の物理放送チャネル（ＰＢＣＨ、Ｐｈｙｓｉｃａｌ  Ｂｒｏａｄｃａｓｔ  Ｃｈａｎｎｅｌ）を介して間接的に取得されてもよい。
【０００３】
現在、初期サーチ過程（例えば、ＳＳＢのサーチ）において、長すぎる時間がかかり、ユーザー装置がネットワーク装置に初期アクセスするために必要な時間を延長させてしまう。
【発明の概要】
【発明が解決しようとする課題】
【０００４】
本願の実施例は初期サーチ過程に必要な時間を短縮して、更に初期サーチ過程に必要な消費電力を低減するための指示方法、検出方法及び関連装置を提供する。
【課題を解決するための手段】
【０００５】
第１態様では、本願の実施例は指示方法を提供し、該指示方法は、
ネットワーク装置は第１周波数領域範囲内のＳＳＢの第１周波数領域位置を示すための指示をユーザー装置に送信することを含む。
【０００６】
第２態様では、本願の実施例は検出方法を提供し、該検出方法は、
ユーザー装置はネットワーク装置からの、第１周波数領域範囲内のＳＳＢの第１周波数領域位置を示すための指示を受信することと、
前記ユーザー装置が前記指示に基づいてＳＳＢを検出することと、を含む。
【０００７】
第３態様では、本願の実施例はネットワーク装置を提供し、該ネットワーク装置は処理ユニット及び通信ユニットを備え、
前記処理ユニットは、第１周波数領域範囲内のＳＳＢの第１周波数領域位置を示すための指示を前記通信ユニットによってユーザー装置に送信することに用いられる。
【０００８】
第４態様では、本願の実施例はユーザー装置を提供し、該ユーザー装置は処理ユニット及び通信ユニットを備え、
前記処理ユニットは、ネットワーク装置からの、第１周波数領域範囲内のＳＳＢの第１周波数領域位置を示すための指示を前記通信ユニットによって受信することに用いられ、
前記処理ユニットは更に、前記指示に基づいてＳＳＢを検出することに用いられる。
【０００９】
第５態様では、本願の実施例はネットワーク装置を提供し、該ネットワーク装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは第１態様に記載の方法におけるステップを実行するための命令を含む。
【００１０】
第６態様では、本願の実施例はユーザー装置を提供し、該ユーザー装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは第２態様に記載の方法におけるステップを実行するための命令を含む。
【００１１】
第７態様では、本願の実施例はコンピュータ可読記憶媒体を提供し、該コンピュータ可読記憶媒体に電子データ交換のためのコンピュータプログラムが記憶され、前記コンピュータプログラムによってコンピュータが第１態様に記載の方法に説明される一部又は全部のステップを実行する。
【００１２】
第８態様では、本願の実施例はコンピュータ可読記憶媒体を提供し、該コンピュータ可読記憶媒体に電子データ交換のためのコンピュータプログラムが記憶され、前記コンピュータプログラムによってコンピュータが第２態様に記載の方法に説明される一部又は全部のステップを実行する。
【００１３】
第９態様では、本願の実施例はコンピュータプログラム製品を提供し、前記コンピュータプログラム製品はコンピュータプログラムが記憶される非一時的コンピュータ可読記憶媒体を含み、前記コンピュータプログラムを操作することにより、コンピュータが第１態様に記載の方法に説明される一部又は全部のステップを実行してもよい。該コンピュータプログラム製品は１つのソフトウェアインストールパッケージであってもよい。
【００１４】
第１０態様では、本願の実施例はコンピュータプログラム製品を提供し、前記コンピュータプログラム製品はコンピュータプログラムが記憶される非一時的コンピュータ可読記憶媒体を含み、前記コンピュータプログラムを操作することにより、コンピュータが第２態様に記載の方法に説明される一部又は全部のステップを実行してもよい。該コンピュータプログラム製品は１つのソフトウェアインストールパッケージであってもよい。
【発明の効果】
【００１５】
以上によれば、本願では、ネットワーク装置がユーザー装置にいくつかの周波数領域範囲内のＳＳＢの周波数領域位置を示すことにより、ユーザー装置がＳＳＢなしの周波数領域範囲内において無駄なサーチを行うことを回避し、ユーザー装置の初期サーチ過程を加速し、更に初期サーチ過程における消費電力を低減し、ユーザー装置が異なる通信事業者の周波数領域範囲内のＳＳＢをサーチすることに役立つ。
【００１６】
本願のこれらの態様又は他の態様は以下の実施例の説明から明らかになる。
【図面の簡単な説明】
【００１７】
本願の実施例又は背景技術の技術案をより明確に説明するために、以下に本願の実施例又は背景技術に使用すべき図面を説明する。
【００１８】
【図１Ａ】図１Ａは本願の実施例に係る無線通信システムのアーキテクチャ模式図である。
【図１Ｂ】図１Ｂは本願の実施例に係る周波数領域リソースを割り当てる模式図である。
【図２】図２は本願の実施例に係るユーザー装置の構造模式図である。
【図３】図３は本願の実施例に係るネットワーク装置の構造模式図である。
【図４】図４は本願の実施例に係る指示方法の模式的なフローチャートである。
【図５】図５は本願の実施例に係る検出方法の模式的なフローチャートである。
【図６】図６は本願の実施例に係る他のネットワーク装置の構造模式図である。
【図７】図７は本願の実施例に係る他のユーザー装置の構造模式図である。
【図８】図８は本願の実施例に係る他のネットワーク装置の構造模式図である。
【図９】図９は本願の実施例に係る他のユーザー装置の構造模式図である。
【発明を実施するための形態】
【００１９】
本願の実施形態において使用される用語は、本願の具体的な実施例を解釈するためのものであって、本願を制限するためのものではない。
【００２０】
本願の明細書、特許請求の範囲及び前記図面における用語の「第１」「第２」「第３」及び「第４」等は異なるオブジェクトを区分するためのものであって、特定の順序を説明するためのものではない。また、用語の「含む」、「有する」及びそれらの任意の変形は、非排他的包含を含むように意図される。
【００２１】
図１Ａには本願に関わる無線通信システムを示す。前記無線通信システムはロングタームエボリューション（ＬＴＥ、Ｌｏｎｇ  Ｔｅｒｍ  Ｅｖｏｌｕｔｉｏｎ）システムに限らず、将来発展する第５世代移動通信（５Ｇ、ｔｈｅ  ５ｔｈ  Ｇｅｎｅｒａｔｉｏｎ）システム、ＮＲシステム、マシン対マシン通信（Ｍ２Ｍ、Ｍａｃｈｉｎｅ  ｔｏ  Ｍａｃｈｉｎｅ）システム等であってもよい。図１Ａに示すように、無線通信システム１００は１つ又は複数のネットワーク装置１０１及び１つ又は複数のユーザー装置１０２を備えてもよい。
【００２２】
ネットワーク装置１０１は基地局であってもよく、基地局は１つ又は複数のユーザー装置と通信することに用いられてもよく、一部のユーザー装置機能を有する１つ又は複数の基地局（例えばマクロ基地局及びマイクロ基地局、例えばアクセスポイント同士の通信）と通信することに用いられてもよい。基地局は時分割同期符号分割多元接続（ＴＤ−ＳＣＤＭＡ、Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）システムにおけるベーストランシーバ基地局（ＢＴＳ、Ｂａｓｅ  Ｔｒａｎｓｃｅｉｖｅｒ  Ｓｔａｔｉｏｎ）であってもよく、ＬＴＥシステムにおける発展型基地局（ｅＮＢ、Ｅｖｏｌｕｔｉｏｎａｌ  Ｎｏｄｅ  Ｂ）及び５Ｇシステム、新無線インターフェース（ＮＲ）システムにおける基地局であってもよい。また、基地局は更にアクセスポイント（ＡＰ、Ａｃｃｅｓｓ  Ｐｏｉｎｔ）、伝送ノード（Ｔｒａｎｓ  ＴＲＰ）、中央装置（ＣＵ、Ｃｅｎｔｒａｌ  Ｕｎｉｔ）又は他のネットワークエンティティであってもよく、且つ以上のネットワークエンティティ機能のうちの一部又は全部の機能を含んでもよい。
【００２３】
ユーザー装置１０２は無線通信システム１００全体に配置されてもよく、固定であってもよく、可動であってもよい。本願のいくつかの実施例では、端末１０２はモバイルデバイス、移動局（ｍｏｂｉｌｅ  ｓｔａｔｉｏｎ）、モバイルユニット（ｍｏｂｉｌｅ  ｕｎｉｔ）、Ｍ２Ｍ端末、無線ユニット、リモートユニット、ユーザーエージェント、モバイルクライアント等であってもよい。
【００２４】
具体的に、ネットワーク装置１０１はネットワーク装置コントローラ（図示せず）の制御で、無線インターフェース１０３を介してユーザー装置１０２と通信することに用いられてもよい。いくつかの実施例では、前記ネットワーク装置コントローラはコアネットワークの一部であってもよく、ネットワーク装置１０１に統合されてもよい。ネットワーク装置１０１とネットワーク装置１０１はバックホール（ｂｌａｃｋｈａｕｌ）インターフェース１０４（例えば、Ｘ２インターフェース）を介して直接又は間接的に通信してもよい。
【００２５】
周波数領域リソースを各通信事業者に割り当て、１つのｂａｎｄ（周波数バンド）における異なる周波数領域リソースを異なる通信事業者に割り当てる可能性がある。下記図１Ｂに示すように、キャリアＡとキャリアＣを通信事業者Ａに割り当て、キャリアＢを通信事業者Ｂに割り当てる。ユーザー装置がキャリアＡにおいてＳＳＢ１を見つかったが、ＳＳＢ１がＲＭＳＩに関連付けられていない場合、通信事業者Ａのネットワーク装置は該ＳＳＢ１におけるＰＢＣＨを介して、セルにおいて定義されたＳＳＢ（ｃｅｌｌ  ｄｅｆｉｎｉｎｇ  ＳＳＢ）の周波数領域位置を示す。キャリアＡにおけるＳＳＢがキャリアＡからキャリアＣまでのｃｅｌｌ  ｄｅｆｉｎｉｎｇ  ＳＳＢの周波数領域位置を示すと仮定し、キャリアＢが通信事業者Ｂの使用するキャリアであるため、それに含まれるｃｅｌｌ  ｄｅｆｉｎｉｎｇ  ＳＳＢの周波数領域位置が通信事業者Ａのネットワーク装置に示されないことになり、そうするとキャリアＢの位置する周波数領域リソースにはユーザー装置のサーチすべきＲＭＳＩに関連付けられるＳＳＢがない。ユーザー装置がキャリアＢの位置するリソースをサーチすると、ユーザー装置がＳＳＢ伝送なしの周波数領域範囲内において無駄なサーチを行うことになり、このため、ユーザー装置の初期サーチ過程に必要な時間を延長させ、更にユーザー装置がネットワーク装置に初期アクセスするために必要な時間を延長させてしまう。
【００２６】
以上によれば、本願では、ネットワーク装置がユーザー装置にいくつかの周波数領域範囲内のＳＳＢの周波数領域位置を示すことにより、ユーザー装置がＳＳＢなしの周波数領域範囲内において無駄なサーチを行うことを回避し、ユーザー装置の初期サーチ過程を加速し、更に初期サーチ過程における消費電力を低減し、ユーザー装置が異なる通信事業者の周波数領域範囲内のＳＳＢをサーチすることに役立つ。
【００２７】
なお、図１に示される無線通信システム１００は本願の技術案をより明確に説明するためのものであって、本願を制限するためのものではなく、当業者であれば理解できるように、ネットワークアーキテクチャの発展及び新しいサービスシーンの出現に伴って、類似の技術的問題に対して、本願に係る技術案は同様に適用される。
【００２８】
図２に示すように、図２には本願のいくつかの実施例に係るユーザー装置２００を示す。図２に示すように、ユーザー装置２００は１つ又は複数のユーザー装置プロセッサ２０１、メモリ２０２、通信インターフェース２０３、受信機２０５、送信機２０６、結合器２０７、アンテナ２０８、ユーザーインターフェース２０２及び入力出力モジュール（オーディオ入力出力モジュール２１０、キー入力モジュール２１１及びディスプレイ２１２等を含む）を備えてもよい。これらの部材はバス２０４又は他の方式で接続されてもよく、図２はバスによる接続を例とする。
【００２９】
通信インターフェース２０３はユーザー装置２００が他の通信装置、例えばネットワーク装置と通信することに用いられてもよい。具体的に、前記ネットワーク装置は図３に示されるネットワーク装置３００であってもよい。具体的に、通信インターフェース２０３はロングタームエボリューション（ＬＴＥ）（４Ｇ）通信インターフェースであってもよく、５Ｇ又は将来の新無線インターフェースの通信インターフェースであってもよい。無線通信インターフェースに限らず、ユーザー装置２００に更に有線通信インターフェース２０３、例えばローカルアクセスネットワーク（ＬＡＮ、Ｌｏｃａｌ  Ａｃｃｅｓｓ  Ｎｅｔｗｏｒｋ）インターフェースが配置されてもよい。
【００３０】
送信機２０６はユーザー装置プロセッサ２０１の出力した信号に対して送信処理、例えば信号変調を行うことに用いられてもよい。受信機２０５はアンテナ２０８の受信した移動通信信号に対して受信処理、例えば信号復調を行うことに用いられてもよい。本願のいくつかの実施例では、送信機２０６と受信機２０５は１つの無線モデムと見なされてもよい。ユーザー装置２００において、送信機２０６及び受信機２０５の数はいずれも１つ又は複数であってもよい。アンテナ２０８は伝送線路における電磁エネルギーを自由空間における電磁波に変換し、又は自由空間における電磁波を伝送線路における電磁エネルギーに変換することに用いられてもよい。結合器２０７はアンテナ３０８の受信した移動通信信号を複数分岐して、複数の受信機２０５に割り当てることに用いられる。
【００３１】
図２に示される送信機２０６及び受信機２０５を除き、ユーザー装置２００は更に他の通信部材、例えばＧＰＳモジュール、ブルートゥース（Ｂｌｕｅｔｏｏｔｈ）モジュール、ワイヤレスフィデリティ（Ｗｉ−Ｆｉ、Ｗｉｒｅｌｅｓｓ  Ｆｉｄｅｌｉｔｙ）モジュール等を備えてもよい。上記説明される無線通信信号に限らず、ユーザー装置２００は更に他の無線通信信号、例えば衛星信号、短波信号等をサポートすることができる。無線通信に限らず、ユーザー装置２００に更に有線ネットワークインターフェース（例えば、ＬＡＮインターフェース）が配置されて、有線通信をサポートしてもよい。
【００３２】
前記入力出力モジュールはユーザー装置２００とユーザー／外部環境とのインタラクションを実現することに用いられてもよく、主にオーディオ入力出力モジュール２１０、キー入力モジュール２１１及びディスプレイ２１２等を備えてもよい。具体的に、前記入力出力モジュールは更にカメラ、タッチパネル及びセンサ等を備えてもよい。前記入力出力モジュールはいずれもユーザーインターフェース２０９を介してユーザー装置プロセッサ２０１と通信する。
【００３３】
メモリ２０２は端末プロセッサ２０１に結合され、様々なソフトウェアプログラム及び／又は複数組の命令を記憶することに用いられる。具体的に、メモリ２０２は高速ランダムアクセスメモリを含んでもよく、且つ更に不揮発性メモリ、例えば１つ又は複数の磁気ディスク記憶装置、フラッシュメモリデバイス又は他の不揮発性固体メモリデバイスを含んでもよい。メモリ２０２はオペレーティングシステム（以下、システムと略称される）、例えばＡＮＤＲＯＩＤ、ＩＯＳ、ＷＩＮＤＯＷＳ、又はＬＩＮＵＸ等の組み込みオペレーティングシステムを記憶することができる。メモリ２０２は更にネットワーク通信プログラムを記憶することができ、該ネットワーク通信プログラムは１つ又は複数の付加装置、１つ又は複数のユーザー装置、１つ又は複数のネットワーク装置と通信することに用いられてもよい。メモリ２０２は更にユーザーインターフェースプログラムを記憶することができ、該ユーザーインターフェースプログラムは図形化されたユーザーインターフェースによってアプリケーションプログラムの内容を生き生きとして表示して、メニュー、ダイアログボックス及びキー等の入力ウィジェットによってユーザーのアプリケーションプログラムに対する制御操作を受信することができる。
【００３４】
本願のいくつかの実施例では、メモリ２０２は本願の１つ又は複数の実施例に係る検出方法のユーザー装置２００側での実現プログラムを記憶することに用いられてもよい。本願の１つ又は複数の実施例に係る検出方法の実現については、下記方法実施例を参照してもよい。
【００３５】
本願のいくつかの実施例では、ユーザー装置プロセッサ２０１はコンピュータ可読命令を読み取って実行することに用いられてもよい。具体的に、ユーザー装置プロセッサ２０１はメモリ２１２に記憶されるプログラム、例えば本願の１つ又は複数の実施例に係る検出方法のユーザー装置２００側での実現プログラムを呼び出して、該プログラムに含まれる命令を実行することに用いられてもよい。
【００３６】
なお、図２に示されるユーザー装置２００は本願の実施例の実現方式に過ぎず、実際の応用では、ユーザー装置２００はより多く又はより少ない部材を備えてもよく、ここで制限しない。
【００３７】
図３に示すように、図３には本願のいくつかの実施例に係るネットワーク装置３００を示す。図３に示すように、ネットワーク装置３００は１つ又は複数のネットワーク装置プロセッサ３０１、メモリ３０２、通信インターフェース３０３、送信機３０５、受信機３０６、結合器３０７及びアンテナ３０８を備えてもよい。これらの部材はバス３０４又は他の方式で接続されてもよく、図４はバスによる接続を例とする。
【００３８】
通信インターフェース３０３はネットワーク装置３００が他の通信装置、例えばユーザー装置又は他のネットワーク装置と通信することに用いられてもよい。具体的に、前記ユーザー装置は図２に示されるユーザー装置２００であってもよい。具体的に、通信インターフェース３０３はロングタームエボリューション（ＬＴＥ）（４Ｇ）通信インターフェースであってもよく、５Ｇ又は将来の新無線インターフェースの通信インターフェースであってもよい。無線通信インターフェースに限らず、ネットワーク装置３００に更に有線通信インターフェース３０３が配置されて、有線通信をサポートしてもよく、例えば１つのネットワーク装置３００と他のネットワーク装置３００とのバックホールリンクは有線通信接続であってもよい。
【００３９】
送信機３０５はネットワーク装置プロセッサ３０１の出力した信号に対して送信処理、例えば信号変調を行うことに用いられてもよい。受信機３０６はアンテナ３０８の受信した移動通信信号に対して受信処理、例えば信号復調を行うことに用いられてもよい。本願のいくつかの実施例では、送信機３０５及び受信機３０６は１つの無線モデムと見なされてもよい。ネットワーク装置３００において、送信機３０５及び受信機３０６の数はいずれも１つ又は複数であってもよい。アンテナ３０８は伝送線路における電磁エネルギーを自由空間における電磁波に変換し、又は自由空間における電磁波を伝送線路における電磁エネルギーに変換することに用いられてもよい。結合器３０７は移動通信号を複数分岐して、複数の受信機３０６に割り当てることに用いられてもよい。
【００４０】
メモリ３０２はネットワーク装置プロセッサ３０１に結合され、様々なソフトウェアプログラム及び／又は複数組の命令を記憶することに用いられる。具体的に、メモリ３０２は高速ランダムアクセスメモリを含んでもよく、且つ更に不揮発性メモリ、例えば１つ又は複数の磁気ディスク記憶装置、フラッシュメモリデバイス又は他の不揮発性固体メモリデバイスを含んでもよい。メモリ３０２はオペレーティングシステム（以下、システムと略称される）、例えばｕＣＯＳ、ＶｘＷｏｒｋｓ、ＲＴＬｉｎｕｘ等の組み込みオペレーティングシステムを記憶することができる。メモリ４０２は更にネットワーク通信プログラムを記憶することができ、該ネットワーク通信プログラムは１つ又は複数の付加装置、１つ又は複数の端末装置、１つ又は複数のネットワーク装置と通信することに用いられてもよい。
【００４１】
ネットワーク装置プロセッサ３０１は無線チャネル管理、コール及び通信リンクの確立及び解除を行って、該制御領域内のユーザーにセル切替制御等を提供することに用いられてもよい。具体的に、ネットワーク装置プロセッサ３０１は管理／通信モジュール（ＡＭ／ＣＭ、Ａｄｍｉｎｉｓｔｒａｔｉｏｎ  Ｍｏｄｕｌｅ／Ｃｏｍｍｕｎｉｃａｔ  ｉｏｎ  Ｍｏｄｕｌｅ）（通話路交換及び情報交換のためのセンター）、基本モジュール（ＢＭ、Ｂａｓｉｃ  Ｍｏｄｕｌｅ）（コール処理、シグナリング処理、無線リソース管理、無線リンクの管理及び回路維持機能を遂行することに用いられる）、コード変換及びサブ多重化ユニット（ＴＣＳＭ、Ｔｒａｎｓｃｏｄｅｒ  ａｎｄ  ＳｕｂＭｕｌｔｉｐｌｅｘｅｒ）（多重化・逆多重化及びコード変換機能を遂行することに用いられる）等を備えてもよい。
【００４２】
本願の実施例では、メモリ３０２は本願の１つ又は複数の実施例に係る指示方法のネットワーク装置３００側での実現プログラムを記憶することに用いられてもよい。本願の１つ又は複数の実施例に係る指示方法の実現については、下記方法実施例を参照してもよい。
【００４３】
本願の実施例では、ネットワーク装置プロセッサ３０１はコンピュータ可読命令を読み取って実行することに用いられてもよい。具体的に、ネットワーク装置プロセッサ３０１はメモリ３０２に記憶されるプログラム、例えば本願の１つ又は複数の実施例に係る指示方法のネットワーク装置３００側での実現プログラムを呼び出して、該プログラムに含まれる命令を実行することに用いられてもよい。
【００４４】
なお、図３に示されるネットワーク装置３００は本願の実施例の実現方式に過ぎず、実際の応用では、ネットワーク装置３００はより多く又はより少ない部材を備えてもよく、ここで制限しない。
【００４５】
上記無線通信システム１００、ユーザー装置２００及びネットワーク装置３００にそれぞれ対応する実施例に基づいて、本願の実施例は指示方法を提供する。
【００４６】
図４に示すように、図４は本願の実施例に係る指示方法の模式的なフローチャートであり、
ネットワーク装置は第１周波数領域範囲内のＳＳＢの第１周波数領域位置を示すための指示をユーザー装置に送信するステップ４０１を含む。
【００４７】
更に、前記ＳＳＢはＲＭＳＩに関連付けられる。
【００４８】
ＲＭＳＩは物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）にベアリングされており、ＰＤＳＣＨのダウンリンク制御情報（ＤＣＩ、Ｄｏｗｎｌｉｎｋ  Ｃｏｎｔｒｏｌ  Ｉｎｆｏｒｎａｔｉｏｎ）は物理ダウンリンク制御チャネル（ＰＤＣＣＨ、Ｐｈｙｓｉｃａｌ  Ｄｏｗｎｌｉｎｋ  Ｃｏｎｔｒｏｌ  ＣＨａｎｎｅｌ）にベアリングされており、ＰＤＣＣＨの位置する時間周波数リソース位置を物理放送チャネル（ＰＢＣＨ、Ｐｈｙｓｉｃａｌ  Ｂｒｏａｄｃａｓｔ  Ｃｈａｎｎｅｌ）によって示し、ＰＢＣＨは更にその位置するＳＳＢがＲＭＳＩに関連付けられるかどうかを示す。従って、ＲＭＳＩに関連付けられるＳＳＢによってＲＭＳＩを取得することができる。
【００４９】
具体的に、周波数領域リソースを各通信事業者に割り当て、１つのｂａｎｄにおける異なる周波数領域リソースを異なる通信事業者に割り当てる可能性がある。下記図１Ｂに示すように、キャリアＡとキャリアＣを通信事業者Ａに割り当て、キャリアＢを通信事業者Ｂに割り当てる。ユーザー装置がキャリアＡにおいてＳＳＢ１を見つかったが、ＳＳＢ１がＲＭＳＩに関連付けられていない場合、通信事業者Ａのネットワーク装置は該ＳＳＢ１におけるＰＢＣＨを介して、ｃｅｌｌ  ｄｅｆｉｎｉｎｇ  ＳＳＢの周波数領域位置を示す。キャリアＡにおけるＳＳＢがキャリアＡからキャリアＣまでのｃｅｌｌ  ｄｅｆｉｎｉｎｇ  ＳＳＢの周波数領域位置を示すと仮定し、キャリアＢが通信事業者Ｂの使用するキャリアであるため、それに含まれるｃｅｌｌ  ｄｅｆｉｎｉｎｇ  ＳＳＢの周波数領域位置が通信事業者Ａのネットワーク装置に示されないことになり、そうするとキャリアＢの位置する周波数領域リソースにはユーザー装置のサーチすべきＲＭＳＩに関連付けられるＳＳＢがない。ユーザー装置がキャリアＢの位置するリソースをサーチすると、ユーザー装置がＳＳＢ伝送なしの周波数領域範囲内において無駄なサーチを行うことになり、このため、ユーザー装置の初期サーチ過程に必要な時間を延長させ、更にユーザー装置がネットワーク装置に初期アクセスするために必要な時間を延長させてしまう。
【００５０】
以上によれば、本願では、ネットワーク装置がユーザー装置にいくつかの周波数領域範囲内のＳＳＢの周波数領域位置を示すことにより、ユーザー装置がＳＳＢなしの周波数領域範囲内において無駄なサーチを行うことを回避し、ユーザー装置の初期サーチ過程を加速し、更に初期サーチ過程における消費電力を低減し、ユーザー装置が異なる通信事業者の周波数領域範囲内のＳＳＢをサーチすることに役立つ。
【００５１】
本願の一実施例では、前記ネットワーク装置が、第１周波数領域範囲内のＳＳＢの第１周波数領域位置を示すための指示をユーザー装置に送信することは、
前記ネットワーク装置は前記第１周波数領域範囲を示すための第１メッセージを前記ユーザー装置に送信することと、
前記ネットワーク装置は前記ＳＳＢの前記第１周波数領域位置を示すための第２メッセージを前記ユーザー装置に送信することと、を含む。
【００５２】
第１メッセージ及び第２メッセージをネットワーク装置からユーザー装置に送信されたダウンリンクデータに含まれてもよく、ネットワーク装置からユーザー装置に送信されたダウンリンクメッセージ等に含まれてもよく、ここで制限しない。
【００５３】
ネットワーク装置は第１メッセージ及び第２メッセージをユーザー装置に一括して送信してもよく、第１メッセージ及び第２メッセージを別々にユーザー装置に送信してもよい。
【００５４】
本願の一実施例では、前記ネットワーク装置は物理放送チャネル（ＰＢＣＨ）における第１情報フィールドによって前記第２メッセージをベアリングし、前記第１情報フィールドはＲＭＳＩの制御リソースセット（ＣＯＲＥＳＥＴ、Ｃｏｎｔｒｏｌ  Ｒｅｓｏｕｒｃｅ  Ｓｅｔ）情報フィールドを含む。
【００５５】
具体的に、ＰＢＣＨにＲＭＳＩのＣＯＲＥＳＥＴ情報フィールドが含まれており、従来技術では、この情報フィールドはＳＳＢの周波数領域位置を示すための情報フィールドである。本願では、ＰＢＣＨの位置するＳＳＢがＲＭＳＩに関連付けられていないため、このＲＭＳＩに関連付けられていないＳＳＢに対応するＰＢＣＨの情報フィールドはアイドルフィールドであり、従って、本願では、ネットワーク装置はこの情報フィールドでＲＭＳＩに関連付けられるＳＳＢの周波数領域位置を示す。
【００５６】
本願の一実施例では、前記ネットワーク装置は物理放送チャネル（ＰＢＣＨ）における前記第１情報フィールド以外の第２情報フィールドによって前記第１メッセージをベアリングする。
【００５７】
本願の一実施例では、前記第２情報フィールドはＰＲＢ  ｇｒｉｄ  ｏｆｆｓｅｔ情報フィールドにおけるリザーブ値、ＲＭＳＩのサブキャリア間隔（ＳＣＳ）情報、セルアクセス禁止指示情報（Ｃｅｌｌ  Ｂａｒｒｅｄ）、同一周波数再選択情報（ＩｎｔｒａＦｒｅｑ  Ｒｅｓｅｌｅｃｔｉｏｎ）のうちの少なくとも１つを含む。
【００５８】
具体的に、ＰＢＣＨにはＰＢＣＨの位置するＳＳＢがＲＭＳＩに関連付けられるかどうかを示すための情報がベアリングされる。従来技術では、ネットワーク装置はＰＢＣＨのＰＲＢ  ｇｒｉｄ  ｏｆｆｓｅｔ情報フィールドにおけるリザーブ値でＲＭＳＩがないことを示してもよい。６ＭＨＺ以下では、ＰＲＢ  ｇｒｉｄ  ｏｆｆｓｅｔ情報フィールドは５つのビットを含み、５つのビットには合計して１〜３２個の符号化ビットが含まれ、この３２個の符号化ビットのうちの２４個の符号化ビットが使用されたが、残りの８つの符号化ビットがアイドルになる。
【００５９】
ＲＭＳＩ  ＳＣＳはＲＭＳＩの受信、以後のランダムアクセス、及び他のシステム情報の受信のための情報である。ＰＢＣＨの位置するＳＳＢがＲＭＳＩに関連付けられていない場合、このＲＭＳＩに関連付けられていないＳＳＢに対応するＰＢＣＨのＲＭＳＩ  ＳＣＳはアイドルになり、従って、この場合、ＲＭＳＩ  ＳＣＳで他の情報を示してもよい。
【００６０】
Ｃｅｌｌ  Ｂａｒｒｅｄは該セルがアクセスを許可するかどうかを示すことに用いられる。ＰＢＣＨの位置するＳＳＢがＲＭＳＩに関連付けられていない場合、このＲＭＳＩに関連付けられていないＳＳＢに対応するＰＢＣＨのＣｅｌｌ  Ｂａｒｒｅｄはアイドルになり、従って、この場合、Ｃｅｌｌ  Ｂａｒｒｅｄで他の情報を示してもよい。
【００６１】
ＩｎｔｒａＦｒｅｑ  Ｒｅｓｅｌｅｃｔｉｏｎは同一周波数再選択を許可するかどうかを示すことに用いられる。ＰＢＣＨの位置するＳＳＢがＲＭＳＩに関連付けられていない場合、このＲＭＳＩに関連付けられていないＳＳＢに対応するＰＢＣＨのＩｎｔｒａＦｒｅｑ  Ｒｅｓｅｌｅｃｔｉｏｎはアイドルになり、従って、この場合、ＩｎｔｒａＦｒｅｑ  Ｒｅｓｅｌｅｃｔｉｏｎで他の情報を示してもよい。
【００６２】
以上によれば、ＰＢＣＨの位置するＳＳＢがＲＭＳＩに関連付けられていない場合、ネットワーク装置はＰＲＢ  ｇｒｉｄ  ｏｆｆｓｅｔ情報フィールドにおけるリザーブ値、ＲＭＳＩ  ＳＣＳ、Ｃｅｌｌ  Ｂａｒｒｅｄ、ＩｎｔｒａＦｒｅｑ  Ｒｅｓｅｌｅｃｔｉｏｎのうちの少なくとも１つで周波数領域範囲を示してもよい。
【００６３】
本願の一実施例では、前記第２メッセージは周波数領域位置情報を含み、前記周波数領域位置情報は位置情報を含み、前記周波数領域位置情報はＳＳＢの前記第１周波数領域範囲内の同期ラスタでの絶対位置を示し、又は、前記周波数領域位置情報は周波数領域オフセットを含み、前記周波数領域オフセットは前記第１周波数領域位置の位置する同期ラスタとＰＢＣＨの位置するＳＳＢに対応する同期ラスタとの間隔である。
【００６４】
上記間隔は同期ラスタの個数であってもよく、周波数領域幅等であってもよく、ここで制限しない。
【００６５】
上記無線通信システム１００、ユーザー装置２００及びネットワーク装置３００にそれぞれ対応する実施例に基づいて、本願の実施例は検出方法を提供する。
【００６６】
図５に示すように、図５は本願の実施例に係る指示方法の模式的なフローチャートであり、
ユーザー装置はネットワーク装置からの、第１周波数領域範囲内のＳＳＢの第１周波数領域位置を示すための指示を受信するステップ５０１と、
前記ユーザー装置が前記指示に基づいてＳＳＢを検出するステップ５０２と、を含む。
【００６７】
更に、前記ＳＳＢはＲＭＳＩに関連付けられる。
【００６８】
ＲＭＳＩはＰＤＳＣＨにベアリングされており、ＰＤＳＣＨのＤＣＩはＰＤＣＣＨにベアリングされており、ＰＤＣＣＨの位置する時間周波数リソース位置をＰＢＣＨで示し、ＰＢＣＨは更にその位置するＳＳＢがＲＭＳＩに関連付けられるかどうかを示す。従って、ＲＭＳＩに関連付けられるＳＳＢによってＲＭＳＩを取得することができる。
【００６９】
具体的に、周波数領域リソースを各通信事業者に割り当て、１つのｂａｎｄにおける異なる周波数領域リソースを異なる通信事業者に割り当てる可能性がある。下記図１Ｂに示すように、キャリアＡとキャリアＣを通信事業者Ａに割り当て、キャリアＢを通信事業者Ｂに割り当てる。ユーザー装置がキャリアＡにおいてＳＳＢ１を見つかったが、ＳＳＢ１がＲＭＳＩに関連付けられていない場合、通信事業者Ａのネットワーク装置は該ＳＳＢ１におけるＰＢＣＨを介して、ｃｅｌｌ  ｄｅｆｉｎｉｎｇ  ＳＳＢの周波数領域位置を示す。キャリアＡにおけるＳＳＢがキャリアＡからキャリアＣまでのｃｅｌｌ  ｄｅｆｉｎｉｎｇ  ＳＳＢの周波数領域位置を示すと仮定し、キャリアＢが通信事業者Ｂの使用するキャリアであるため、それに含まれるｃｅｌｌ  ｄｅｆｉｎｉｎｇ  ＳＳＢの周波数領域位置が通信事業者Ａのネットワーク装置に示されないことになり、そうするとキャリアＢの位置する周波数領域リソースにはユーザー装置のサーチすべきＲＭＳＩに関連付けられるＳＳＢがない。ユーザー装置がキャリアＢの位置するリソースをサーチすると、ユーザー装置がＳＳＢ伝送なしの周波数領域範囲内において無駄なサーチを行うことになり、このため、ユーザー装置の初期サーチ過程に必要な時間を延長させ、更にユーザー装置がネットワーク装置に初期アクセスするために必要な時間を延長させてしまう。
【００７０】
具体的に実現するとき、ユーザー装置が前記指示に基づいてＳＳＢを検出することは、ＳＳＢ検出を行うとき、ユーザー装置が直接に第１周波数領域範囲内の第１周波数領域位置でＳＳＢ検出を行うことを含む。
【００７１】
以上によれば、本願では、ネットワーク装置がユーザー装置にいくつかの周波数領域範囲内のＳＳＢの周波数領域位置を示すことにより、ユーザー装置がＳＳＢなしの周波数領域範囲内において無駄なサーチを行うことを回避し、ユーザー装置の初期サーチ過程を加速し、更に初期サーチ過程における消費電力を低減し、ユーザー装置が異なる通信事業者の周波数領域範囲内のＳＳＢをサーチすることに役立つ。
【００７２】
本願の一実施例では、前記ユーザー装置がネットワーク装置からの、第１周波数領域範囲内のＳＳＢの第１周波数領域位置を示すための指示を受信することは、
前記ユーザー装置が前記ネットワーク装置からの、前記第１周波数領域範囲を示すための第１メッセージを受信することと、
前記ユーザー装置が前記ネットワーク装置からの、前記ＳＳＢの前記第１周波数領域位置を示すための第２メッセージを受信することと、を含む。
【００７３】
本願の一実施例では、前記ネットワーク装置は物理放送チャネル（ＰＢＣＨ）における第１情報フィールドによって前記第２メッセージをベアリングし、前記第１情報フィールドはＲＭＳＩのＣＯＲＥＳＥＴ情報フィールドを含む。
【００７４】
具体的に、ＰＢＣＨにＲＭＳＩのＣＯＲＥＳＥＴ情報フィールドが含まれ、従来技術では、この情報フィールドはＳＳＢの周波数領域位置を示すための情報フィールドである。本願では、ＰＢＣＨの位置するＳＳＢがＲＭＳＩに関連付けられていないため、このＲＭＳＩに関連付けられていないＳＳＢに対応するＰＢＣＨの情報フィールドはアイドルフィールドであり、従って、本願では、ネットワーク装置はこの情報フィールドでＲＭＳＩに関連付けられるＳＳＢの周波数領域位置を示す。
【００７５】
本願の一実施例では、前記ネットワーク装置は物理放送チャネル（ＰＢＣＨ）における前記第１情報フィールド以外の第２情報フィールドによって前記第１メッセージをベアリングする。
【００７６】
本願の一実施例では、前記第２情報フィールドは物理リソースブロック（ＰＲＢ）グリッドオフセット（ｇｒｉｄ  ｏｆｆｓｅｔ）情報フィールドにおけるリザーブ値、ＲＭＳＩのサブキャリア間隔（ＳＣＳ）情報、セルアクセス禁止指示情報、同一周波数再選択情報のうちの少なくとも１つを含む。
【００７７】
具体的に、ＰＢＣＨにはＰＢＣＨの位置するＳＳＢがＲＭＳＩに関連付けられるかどうかを示すための情報がベアリングされる。従来技術では、ネットワーク装置はＰＢＣＨのＰＲＢ  ｇｒｉｄ  ｏｆｆｓｅｔ情報フィールドにおけるリザーブ値でＲＭＳＩがないことを示してもよい。６ＭＨＺ以下では、ＰＲＢ  ｇｒｉｄ  ｏｆｆｓｅｔ情報フィールドは５つのビットを含み、５つのビットには合計して１〜３２個の符号化ビットが含まれ、この３２個の符号化ビットのうちの２４個の符号化ビットが使用されたが、残りの８つの符号化ビットがアイドルになる。
【００７８】
ＲＭＳＩ  ＳＣＳはＲＭＳＩの受信、以後のランダムアクセス、及び他のシステム情報の受信のための情報である。ＰＢＣＨの位置するＳＳＢがＲＭＳＩに関連付けられていない場合、このＲＭＳＩに関連付けられていないＳＳＢに対応するＰＢＣＨのＲＭＳＩ  ＳＣＳはアイドルになり、従って、この場合、ＲＭＳＩ  ＳＣＳで他の情報を示してもよい。
【００７９】
Ｃｅｌｌ  Ｂａｒｒｅｄは該セルがアクセスを許可するかどうかを示すことに用いられる。ＰＢＣＨの位置するＳＳＢがＲＭＳＩに関連付けられていない場合、このＲＭＳＩに関連付けられていないＳＳＢに対応するＰＢＣＨのＣｅｌｌ  Ｂａｒｒｅｄはアイドルになり、従って、この場合、Ｃｅｌｌ  Ｂａｒｒｅｄで他の情報を示してもよい。
【００８０】
ＩｎｔｒａＦｒｅｑ  Ｒｅｓｅｌｅｃｔｉｏｎは同一周波数再選択を許可するかどうかを示すことに用いられる。ＰＢＣＨの位置するＳＳＢがＲＭＳＩに関連付けられていない場合、このＲＭＳＩに関連付けられていないＳＳＢに対応するＰＢＣＨのＩｎｔｒａＦｒｅｑ  Ｒｅｓｅｌｅｃｔｉｏｎはアイドルになり、従って、この場合、ＩｎｔｒａＦｒｅｑ  Ｒｅｓｅｌｅｃｔｉｏｎで他の情報を示してもよい。
【００８１】
以上によれば、ＰＢＣＨの位置するＳＳＢがＲＭＳＩに関連付けられていない場合、ネットワーク装置はＰＲＢ  ｇｒｉｄ  ｏｆｆｓｅｔ情報フィールドにおけるリザーブ値、ＲＭＳＩ  ＳＣＳ、Ｃｅｌｌ  Ｂａｒｒｅｄ、ＩｎｔｒａＦｒｅｑ  Ｒｅｓｅｌｅｃｔｉｏｎのうちの少なくとも１つで周波数領域範囲を示してもよい。
【００８２】
本願の一実施例では、前記第２メッセージは周波数領域位置情報を含み、前記周波数領域位置情報は位置情報を含み、前記周波数領域位置情報はＳＳＢの前記第１周波数領域範囲内の同期ラスタでの絶対位置を示し、又は、前記周波数領域位置情報は周波数領域オフセットを含み、前記周波数領域オフセットは前記第１周波数領域位置の位置する同期ラスタとＰＢＣＨの位置するＳＳＢに対応する同期ラスタとの間隔である。
【００８３】
上記間隔は同期ラスタの個数であってもよく、周波数領域幅等であってもよく、ここで制限しない。
【００８４】
図６に示すように、図６には本願の実施例に係るネットワーク装置６００を示し、該ネットワーク装置６００は１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように設定され、
前記プログラムは、第１周波数領域範囲内のＳＳＢの第１周波数領域位置を示すための指示をユーザー装置に送信するステップを実行するための命令を含む。
【００８５】
本願の一実施例では、前記ＳＳＢはＲＭＳＩに関連付けられる。
【００８６】
本願の一実施例では、第１周波数領域範囲内のＳＳＢの第１周波数領域位置を示すための指示をユーザー装置に送信する態様では、前記プログラムは具体的に、
前記第１周波数領域範囲を示すための第１メッセージを前記ユーザー装置に送信するステップと、
前記ＳＳＢの前記第１周波数領域位置を示すための第２メッセージを前記ユーザー装置に送信するステップと、を実行するための命令を含む。
【００８７】
本願の一実施例では、前記ネットワーク装置はＰＢＣＨにおける第１情報フィールドによって前記第２メッセージをベアリングし、前記第１情報フィールドはＲＭＳＩのＣＯＲＥＳＥＴ情報フィールドを含む。
【００８８】
本願の一実施例では、前記ネットワーク装置はＰＢＣＨにおける前記第１情報フィールド以外の第２情報フィールドによって前記第１メッセージをベアリングする。
【００８９】
本願の一実施例では、前記第２情報フィールドは物理リソースブロック（ＰＲＢ）グリッドオフセット（ｇｒｉｄ  ｏｆｆｓｅｔ）情報フィールドにおけるリザーブ値、ＲＭＳＩのサブキャリア間隔（ＳＣＳ）情報、セルアクセス禁止指示情報、同一周波数再選択情報のうちの少なくとも１つを含む。
【００９０】
本願の一実施例では、前記第２メッセージは周波数領域位置情報を含み、前記周波数領域位置情報は位置情報を含み、前記周波数領域位置情報はＳＳＢの前記第１周波数領域範囲内の同期ラスタでの絶対位置を示し、又は、前記周波数領域位置情報は周波数領域オフセットを含み、前記周波数領域オフセットは前記第１周波数領域位置の位置する同期ラスタとＰＢＣＨの位置するＳＳＢに対応する同期ラスタとの間隔である。
【００９１】
なお、本実施例に記載の内容の具体的な実現方式については、上記指示方法を参照してもよく、ここで詳細な説明は省略する。
【００９２】
図７に示すように、図７には本願の実施例に係るユーザー装置７００を示し、該ユーザー装置７００は１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように設定され、
前記プログラムは、
ネットワーク装置からの、第１周波数領域範囲内のＳＳＢの第１周波数領域位置を示すための指示を受信するステップと、
前記指示に基づいてＳＳＢを検出するステップと、を実行するための命令を含む。
【００９３】
本願の一実施例では、前記ＳＳＢはＲＭＳＩに関連付けられる。
【００９４】
本願の一実施例では、ネットワーク装置からの、第１周波数領域範囲内のＳＳＢの第１周波数領域位置を示すための指示を受信する態様では、前記プログラムは具体的に、
前記ネットワーク装置からの、前記第１周波数領域範囲を示すための第１メッセージを受信するステップと、
前記ネットワーク装置からの、前記ＳＳＢの前記第１周波数領域位置を示すための第２メッセージを受信するステップと、を実行するための命令を含む。
【００９５】
本願の一実施例では、前記ネットワーク装置はＰＢＣＨにおける第１情報フィールドによって前記第２メッセージをベアリングし、前記第１情報フィールドはＲＭＳＩのＣＯＲＥＳＥＴ情報フィールドを含む。
【００９６】
本願の一実施例では、前記ネットワーク装置はＰＢＣＨにおける前記第１情報フィールド以外の第２情報フィールドによって前記第１メッセージをベアリングする。
【００９７】
本願の一実施例では、前記第２情報フィールドは物理リソースブロック（ＰＲＢ）グリッドオフセット（ｇｒｉｄ  ｏｆｆｓｅｔ）情報フィールドにおけるリザーブ値、ＲＭＳＩのサブキャリア間隔（ＳＣＳ）情報、セルアクセス禁止指示情報、同一周波数再選択情報のうちの少なくとも１つを含む。
【００９８】
本願の一実施例では、前記第２メッセージは周波数領域位置情報を含み、前記周波数領域位置情報は位置情報を含み、前記周波数領域位置情報はＳＳＢの前記第１周波数領域範囲内の同期ラスタでの絶対位置を示し、又は、前記周波数領域位置情報は周波数領域オフセットを含み、前記周波数領域オフセットは前記第１周波数領域位置の位置する同期ラスタとＰＢＣＨの位置するＳＳＢに対応する同期ラスタとの間隔である。
【００９９】
なお、本実施例に記載の内容の具体的な実現方式については、上記検出方法を参照してもよく、ここで詳細な説明は省略する。
【０１００】
図８に示すように、図８には本願の実施例に係るネットワーク装置８００を示し、該ネットワーク装置８００は処理ユニット８０１、通信ユニット８０２及び記憶ユニット８０３を備え、
処理ユニット８０１は、第１周波数領域範囲内のＳＳＢの第１周波数領域位置を示すための指示を通信ユニット８０２によってユーザー装置に送信することに用いられる。
【０１０１】
本願の一実施例では、前記ＳＳＢはＲＭＳＩに関連付けられる。
【０１０２】
本願の一実施例では、第１周波数領域範囲内のＳＳＢの第１周波数領域位置を示すための指示を通信ユニット８０２によってユーザー装置に送信する態様では、処理ユニット８０１は、
前記第１周波数領域範囲を示すための第１メッセージを通信ユニット８０２によって前記ユーザー装置に送信することと、
前記ＳＳＢの前記第１周波数領域位置を示すための第２メッセージを通信ユニット８０２によって前記ユーザー装置に送信することと。
【０１０３】
本願の一実施例では、前記ネットワーク装置はＰＢＣＨにおける第１情報フィールドによって前記第２メッセージをベアリングし、前記第１情報フィールドはＲＭＳＩのＣＯＲＥＳＥＴ情報フィールドを含む。
【０１０４】
本願の一実施例では、前記ネットワーク装置はＰＢＣＨにおける前記第１情報フィールド以外の第２情報フィールドによって前記第１メッセージをベアリングする。
【０１０５】
本願の一実施例では、前記第２情報フィールドは物理リソースブロック（ＰＲＢ）グリッドオフセット（ｇｒｉｄ  ｏｆｆｓｅｔ）情報フィールドにおけるリザーブ値、ＲＭＳＩのサブキャリア間隔（ＳＣＳ）情報、セルアクセス禁止指示情報、同一周波数再選択情報のうちの少なくとも１つを含む。
【０１０６】
本願の一実施例では、前記第２メッセージは周波数領域位置情報を含み、前記周波数領域位置情報は位置情報を含み、前記周波数領域位置情報はＳＳＢの前記第１周波数領域範囲内の同期ラスタでの絶対位置を示し、又は、前記周波数領域位置情報は周波数領域オフセットを含み、前記周波数領域オフセットは前記第１周波数領域位置の位置する同期ラスタとＰＢＣＨの位置するＳＳＢに対応する同期ラスタとの間隔である。
【０１０７】
処理ユニット８０１はプロセッサ又はコントローラであってもよい（例えば、中央処理装置（ＣＰＵ、Ｃｅｎｔｒａｌ  Ｐｒｏｃｅｓｓｉｎｇ  Ｕｎｉｔ）、汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本願に開示される内容を参照して説明される様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰ及びマイクロプロセッサの組み合わせ等であってもよい）。通信ユニット８０２は送受信機、送受信回路、無線周波数チップ、通信インターフェース等であってもよく、記憶ユニット８０３はメモリであってもよい。
【０１０８】
処理ユニット８０１がプロセッサ、通信ユニット８０２が通信インターフェース、記憶ユニット８０３がメモリである場合、本願の実施例に関わるネットワーク装置は図６に示されるネットワーク装置であってもよい。
【０１０９】
図９に示すように、図９には本願の実施例に係るユーザー装置９００を示し、該ユーザー装置９００は処理ユニット９０１、通信ユニット９０２及び記憶ユニット９０３を備え、
処理ユニット９０１は、ネットワーク装置からの、第１周波数領域範囲内のＳＳＢの第１周波数領域位置を示すための指示を通信ユニット９０２によって受信することに用いられ、
処理ユニット９０１は更に、前記指示に基づいてＳＳＢを検出することに用いられる。
【０１１０】
本願の一実施例では、前記ＳＳＢはＲＭＳＩに関連付けられる。
【０１１１】
本願の一実施例では、ネットワーク装置からの、第１周波数領域範囲内のＳＳＢの第１周波数領域位置を示すための指示を通信ユニット９０２によって受信する態様では、処理ユニット９０１は具体的に、
前記ネットワーク装置からの、前記第１周波数領域範囲を示すための第１メッセージを通信ユニット９０２によって受信することと、
前記ネットワーク装置からの、前記ＳＳＢの前記第１周波数領域位置を示すための第２メッセージを通信ユニット９０２によって受信することと、に用いられる。
【０１１２】
本願の一実施例では、前記ネットワーク装置はＰＢＣＨにおける第１情報フィールドによって前記第２メッセージをベアリングし、前記第１情報フィールドはＲＭＳＩのＣＯＲＥＳＥＴ情報フィールドを含む。
【０１１３】
本願の一実施例では、前記ネットワーク装置はＰＢＣＨにおける前記第１情報フィールド以外の第２情報フィールドによって前記第１メッセージをベアリングする。
【０１１４】
本願の一実施例では、前記第２情報フィールドは物理リソースブロック（ＰＲＢ）グリッドオフセット（ｇｒｉｄ  ｏｆｆｓｅｔ）情報フィールドにおけるリザーブ値、ＲＭＳＩのサブキャリア間隔（ＳＣＳ）情報、セルアクセス禁止指示情報、同一周波数再選択情報のうちの少なくとも１つを含む。
【０１１５】
本願の一実施例では、前記第２メッセージは周波数領域位置情報を含み、前記周波数領域位置情報は位置情報を含み、前記周波数領域位置情報はＳＳＢの前記第１周波数領域範囲内の同期ラスタでの絶対位置を示し、又は、前記周波数領域位置情報は周波数領域オフセットを含み、前記周波数領域オフセットは前記第１周波数領域位置の位置する同期ラスタとＰＢＣＨの位置するＳＳＢに対応する同期ラスタとの間隔である。
【０１１６】
処理ユニット９０１はプロセッサ又はコントローラであってもよい（例えば、中央処理装置（ＣＰＵ、Ｃｅｎｔｒａｌ  Ｐｒｏｃｅｓｓｉｎｇ  Ｕｎｉｔ）、汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本願に開示される内容を参照して説明される様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰ及びマイクロプロセッサの組み合わせ等であってもよい）。通信ユニット９０２は送受信機、送受信回路、無線周波数チップ、通信インターフェース等であってもよく、記憶ユニット９０３はメモリであってもよい。
【０１１７】
処理ユニット９０１がプロセッサ、通信ユニット９０２が通信インターフェース、記憶ユニット９０３がメモリである場合、本願の実施例に関わるユーザー装置は図７に示されるユーザー装置であってもよい。
【０１１８】
本願の実施例は更にコンピュータ可読記憶媒体を提供し、前記コンピュータ可読記憶媒体に電子データ交換のためのコンピュータプログラムが記憶され、前記コンピュータプログラムによってコンピュータが上記方法実施例におけるユーザー装置、第１ネットワーク装置又は第２ネットワーク装置に説明される一部又は全部のステップを実行する。
【０１１９】
本願の実施例は更にコンピュータプログラム製品を提供し、前記コンピュータプログラム製品はコンピュータプログラムが記憶される非一時的コンピュータ可読記憶媒体を含み、前記コンピュータプログラムを操作することにより、コンピュータが上記方法におけるユーザー装置、第１ネットワーク装置又は第２ネットワーク装置に説明される一部又は全部のステップを実行する。該コンピュータプログラム製品は１つのソフトウェアインストールパッケージであってもよい。
【０１２０】
本願の実施例に説明される方法又はアルゴリズムのステップはハードウェアの方式で実現されてもよく、プロセッサがソフトウェア命令を実行することで実現されてもよい。ソフトウェア命令は対応するソフトウェアモジュールで構成されてもよく、ソフトウェアモジュールはランダムアクセスメモリ（ＲＡＭ、Ｒａｎｄｏｍ  Ａｃｃｅｓｓ  Ｍｅｍｏｒｙ）、フラッシュメモリ、読み出し専用メモリ（ＲＯＭ、Ｒｅａｄ  Ｏｎｌｙ  Ｍｅｍｏｒｙ）、消去可能プログラム可能読み出し専用メモリ（ＥＰＲＯＭ、Ｅｒａｓａｂｌｅ  Ｐｒｏｇｒａｍｍａｂｌｅ  ＲＯＭ）、電気的消去可能プログラム可能読み出し専用メモリ（ＥＥＰＲＯＭ、Ｅｌｅｃｔｒｉｃａｌｌｙ  ＥＰＲＯＭ）、レジスタ、ハードディスク、ポータブルハードディスク、読み出し専用光ディスク（ＣＤ−ＲＯＭ）又は本分野でよく知られているいかなる他の形式の記憶媒体に記憶されてもよい。例示的な記憶媒体がプロセッサに結合されることにより、プロセッサは該記憶媒体から情報を読み取って、該記憶媒体に情報を書き込むことができる。当然ながら、記憶媒体はプロセッサの構成部分であってもよい。プロセッサ及び記憶媒体はＡＳＩＣに位置してもよい。また、該ＡＳＩＣはアクセスネットワーク装置、目標ネットワーク装置又はコアネットワーク装置に位置してもよい。当然ながら、プロセッサ及び記憶媒体は個別コンポーネントとしてアクセスネットワーク装置、目標ネットワーク装置又はコアネットワーク装置に位置してもよい。
【０１２１】
当業者であれば意識できるように、上記１つ又は複数の例示では、本願の実施例に説明される機能はソフトウェア、ハードウェア、ファームウェア又はそれらの任意の組み合わせで全体的又は部分的に実現されてもよい。ソフトウェアで実現されるとき、コンピュータプログラム製品の形式で全体的又は部分的に実現されてもよい。前記コンピュータプログラム製品は１つ又は複数のコンピュータ命令を含む。コンピュータにおいて前記コンピュータプログラム命令をロードして実行するとき、本願の実施例に記載のプロセス又は機能を全体的又は部分的に発生させる。前記コンピュータは汎用コンピュータ、専用コンピュータ、コンピュータネットワーク、又は他のプログラム可能装置であってもよい。前記コンピュータ命令はコンピュータ可読記憶媒体に記憶され、又は一方のコンピュータ可読記憶媒体から他方のコンピュータ可読記憶媒体に伝送されてもよく、例えば、前記コンピュータ命令は一方のウェブサイト、コンピュータ、サーバ又はデータセンターから有線（例えば、同軸ケーブル、光ファイバー、デジタル加入者回線（ＤＳＬ、Ｄｉｇｉｔａｌ  Ｓｕｂｓｃｒｉｂｅｒ  Ｌｉｎｅ））又は無線（例えば、赤外線、無線、マイクロ波等）方式で他方のウェブサイト、コンピュータ、サーバ又はデータセンターに伝送されてもよい。前記コンピュータ可読記憶媒体はコンピュータにアクセスできるいかなる利用可能媒体又は１つ又は複数の利用可能媒体からなるサーバ、データセンター等のデータ記憶装置であってもよい。前記利用可能媒体は磁気媒体（例えば、フロッピーディスク、ハードディスク、磁気テープ）、光媒体（例えば、デジタルビデオディスク（ＤＶＤ、Ｄｉｇｉｔａｌ  Ｖｉｄｅｏ  Ｄｉｓｃ））又は半導体媒体（例えば、ソリッドステートディスク（ＳＳＤ、Ｓｏｌｉｄ  Ｓｔａｔｅ  Ｄｉｓｋ））等であってもよい。
【０１２２】
以上に説明される具体的な実施形態は本願の実施例の目的、技術案及び有益な効果を更に詳しく説明したが、理解されるように、以上の説明は本願の実施例の具体的な実施形態に過ぎず、本願の実施例の保護範囲を制限するためのものではなく、本願の実施例の技術案に基づいて行ったいかなる修正、等価置換、改良等は、いずれも本願の実施例の保護範囲内に含まれるべきである。
【図１Ａ】
2021513807.tif 000003
【図１Ｂ】
2021513807.tif 000004
【図２】
2021513807.tif 000005
【図３】
2021513807.tif 000006
【図４】
2021513807.tif 000007
【図５】
2021513807.tif 000008
【図６】
2021513807.tif 000009
【図７】
2021513807.tif 000010
【図８】
2021513807.tif 000011
【図９】
2021513807.tif 000012
2021513807.tif 000013
2021513807.tif 000014
2021513807.tif 000015
2021513807.tif 000016
2021513807.tif 000017
2021513807.tif 000018
2021513807.tif 000019
2021513807.tif 000020
2021513807.tif 000021
2021513807.tif 000022
【手続補正書】
【提出日】令和2年8月13日(2020.8.13)
【手続補正１】
【補正対象書類名】明細書
【補正対象項目名】００２３
【補正方法】変更
【補正の内容】
【００２３】
ユーザー装置１０２は無線通信システム１００全体に配置されてもよく、固定であってもよく、可動であってもよい。本願のいくつかの実施例では、ユーザー装置１０２はモバイルデバイス、移動局（ｍｏｂｉｌｅ  ｓｔａｔｉｏｎ）、モバイルユニット（ｍｏｂｉｌｅ  ｕｎｉｔ）、Ｍ２Ｍ端末、無線ユニット、リモートユニット、ユーザーエージェント、モバイルクライアント等であってもよい。
【手続補正２】
【補正対象書類名】明細書
【補正対象項目名】００２４
【補正方法】変更
【補正の内容】
【００２４】
具体的に、ネットワーク装置１０１はネットワーク装置コントローラ（図示せず）の制御で、無線インターフェース１０３を介してユーザー装置１０２と通信することに用いられてもよい。いくつかの実施例では、前記ネットワーク装置コントローラはコアネットワークの一部であってもよく、ネットワーク装置１０１に統合されてもよい。ネットワーク装置１０１とネットワーク装置１０１はバックホール（ｂａｃｋｈａｕｌ）インターフェース１０４（例えば、Ｘ２インターフェース）を介して直接又は間接的に通信してもよい。
【手続補正３】
【補正対象書類名】明細書
【補正対象項目名】００２８
【補正方法】変更
【補正の内容】
【００２８】
図２に示すように、図２には本願のいくつかの実施例に係るユーザー装置２００を示す。図２に示すように、ユーザー装置２００は１つ又は複数のユーザー装置プロセッサ２０１、メモリ２０２、通信インターフェース２０３、受信機２０５、送信機２０６、結合器２０７、アンテナ２０８、ユーザーインターフェース２０９及び入力出力モジュール（オーディオ入力出力モジュール２１０、キー入力モジュール２１１及びディスプレイ２１２等を含む）を備えてもよい。これらの部材はバス２０４又は他の方式で接続されてもよく、図２はバスによる接続を例とする。
【手続補正４】
【補正対象書類名】明細書
【補正対象項目名】００３０
【補正方法】変更
【補正の内容】
【００３０】
送信機２０６はユーザー装置プロセッサ２０１の出力した信号に対して送信処理、例えば信号変調を行うことに用いられてもよい。受信機２０５はアンテナ２０８の受信した移動通信信号に対して受信処理、例えば信号復調を行うことに用いられてもよい。本願のいくつかの実施例では、送信機２０６と受信機２０５は１つの無線モデムと見なされてもよい。ユーザー装置２００において、送信機２０６及び受信機２０５の数はいずれも１つ又は複数であってもよい。アンテナ２０８は伝送線路における電磁エネルギーを自由空間における電磁波に変換し、又は自由空間における電磁波を伝送線路における電磁エネルギーに変換することに用いられてもよい。結合器２０７はアンテナ２０８の受信した移動通信信号を複数分岐して、複数の受信機２０５に割り当てることに用いられる。
【手続補正５】
【補正対象書類名】明細書
【補正対象項目名】００３５
【補正方法】変更
【補正の内容】
【００３５】
本願のいくつかの実施例では、ユーザー装置プロセッサ２０１はコンピュータ可読命令を読み取って実行することに用いられてもよい。具体的に、ユーザー装置プロセッサ２０１はメモリ２０２に記憶されるプログラム、例えば本願の１つ又は複数の実施例に係る検出方法のユーザー装置２００側での実現プログラムを呼び出して、該プログラムに含まれる命令を実行することに用いられてもよい。
【手続補正６】
【補正対象書類名】明細書
【補正対象項目名】００４０
【補正方法】変更
【補正の内容】
【００４０】
メモリ３０２はネットワーク装置プロセッサ３０１に結合され、様々なソフトウェアプログラム及び／又は複数組の命令を記憶することに用いられる。具体的に、メモリ３０２は高速ランダムアクセスメモリを含んでもよく、且つ更に不揮発性メモリ、例えば１つ又は複数の磁気ディスク記憶装置、フラッシュメモリデバイス又は他の不揮発性固体メモリデバイスを含んでもよい。メモリ３０２はオペレーティングシステム（以下、システムと略称される）、例えばｕＣＯＳ、ＶｘＷｏｒｋｓ、ＲＴＬｉｎｕｘ等の組み込みオペレーティングシステムを記憶することができる。メモリ３０２は更にネットワーク通信プログラムを記憶することができ、該ネットワーク通信プログラムは１つ又は複数の付加装置、１つ又は複数の端末装置、１つ又は複数のネットワーク装置と通信することに用いられてもよい。
【手続補正７】
【補正対象書類名】明細書
【補正対象項目名】００４８
【補正方法】変更
【補正の内容】
【００４８】
ＲＭＳＩは物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）にベアリングされており、ＰＤＳＣＨのダウンリンク制御情報（ＤＣＩ、Ｄｏｗｎｌｉｎｋ  Ｃｏｎｔｒｏｌ  Ｉｎｆｏｒｍａｔｉｏｎ）は物理ダウンリンク制御チャネル（ＰＤＣＣＨ、Ｐｈｙｓｉｃａｌ  Ｄｏｗｎｌｉｎｋ  Ｃｏｎｔｒｏｌ  ＣＨａｎｎｅｌ）にベアリングされており、ＰＤＣＣＨの位置する時間周波数リソース位置を物理放送チャネル（ＰＢＣＨ、Ｐｈｙｓｉｃａｌ  Ｂｒｏａｄｃａｓｔ  Ｃｈａｎｎｅｌ）によって示し、ＰＢＣＨは更にその位置するＳＳＢがＲＭＳＩに関連付けられるかどうかを示す。従って、ＲＭＳＩに関連付けられるＳＳＢによってＲＭＳＩを取得することができる。
【手続補正８】
【補正対象書類名】明細書
【補正対象項目名】０１０２
【補正方法】変更
【補正の内容】
【０１０２】
本願の一実施例では、第１周波数領域範囲内のＳＳＢの第１周波数領域位置を示すための指示を通信ユニット８０２によってユーザー装置に送信する態様では、処理ユニット８０１は、
前記第１周波数領域範囲を示すための第１メッセージを通信ユニット８０２によって前記ユーザー装置に送信することと、
前記ＳＳＢの前記第１周波数領域位置を示すための第２メッセージを通信ユニット８０２によって前記ユーザー装置に送信することと、に用いられる。
【手続補正９】
【補正対象書類名】特許請求の範囲
【補正対象項目名】全文
【補正方法】変更
【補正の内容】
【特許請求の範囲】
【請求項１】
指示方法であって、
ネットワーク装置は第１周波数領域範囲内の同期信号ブロック（ＳＳＢ）の第１周波数領域位置を示すための指示をユーザー装置に送信することを含むことを特徴とする指示方法。
【請求項２】
前記ＳＳＢは残りの最小システム情報（ＲＭＳＩ）に関連付けられることを特徴とする請求項１に記載の方法。
【請求項３】
前記ネットワーク装置が指示をユーザー装置に送信することは、
前記ネットワーク装置は前記第１周波数領域範囲を示すための第１メッセージを前記ユーザー装置に送信することを含むことを特徴とする請求項１又は２に記載の方法。
【請求項４】
前記ネットワーク装置が指示をユーザー装置に送信することは、
前記ネットワーク装置は前記ＳＳＢの前記第１周波数領域位置を示すための第２メッセージを前記ユーザー装置に送信することを含むことを特徴とする請求項１又は２に記載の方法。
【請求項５】
前記ネットワーク装置が指示をユーザー装置に送信することは、
前記ネットワーク装置は前記第１周波数領域範囲を示すための第１メッセージを前記ユーザー装置に送信することと、
前記ネットワーク装置は前記ＳＳＢの前記第１周波数領域位置を示すための第２メッセージを前記ユーザー装置に送信することと、を含むことを特徴とする請求項１又は２に記載の方法。
【請求項６】
前記ネットワーク装置は前記第１メッセージ及び前記第２メッセージをユーザー装置に送信することは、
前記第１メッセージ及び前記第２メッセージを一括して送信することを特徴とする請求項５に記載の方法。
【請求項７】
前記ネットワーク装置は前記第２メッセージを送信することは、
物理放送チャネル（ＰＢＣＨ）における第１情報フィールドによって前記第２メッセージをベアリングすることを含み、前記第１情報フィールドはＲＭＳＩの制御リソースセット（ＣＯＲＥＳＥＴ）情報フィールドを含むことを特徴とする請求項５又は６に記載の方法。
【請求項８】
前記ネットワーク装置は前記第１メッセージを送信することは、
物理放送チャネル（ＰＢＣＨ）における前記第１情報フィールド以外の第２情報フィールドによって前記第１メッセージをベアリングすることを含むことを特徴とする請求項７に記載の方法。
【請求項９】
前記第２情報フィールドは物理リソースブロック（ＰＲＢ）グリッドオフセット（ｇｒｉｄ  ｏｆｆｓｅｔ）情報フィールドにおける符号化ビット、ＲＭＳＩのサブキャリア間隔（ＳＣＳ）情報、セルアクセス禁止指示情報、同一周波数再選択情報のうちの少なくとも１つを含むことを特徴とする請求項８に記載の方法。
【請求項１０】
検出方法であって、
ユーザー装置はネットワーク装置からの、第１周波数領域範囲内の同期信号ブロック（ＳＳＢ）の第１周波数領域位置を示すための指示を受信することと、
前記ユーザー装置が前記指示に基づいてＳＳＢを検出することと、を含むことを特徴とする検出方法。
【請求項１１】
前記ＳＳＢは残りの最小システム情報（ＲＭＳＩ）に関連付けられることを特徴とする請求項１０に記載の方法。
【請求項１２】
前記ユーザー装置がネットワーク装置からの指示を受信することは、
前記ユーザー装置は前記ネットワーク装置からの、前記第１周波数領域範囲を示すための第１メッセージを受信することを含むことを特徴とする請求項１０又は１１に記載の方法。
【請求項１３】
前記ユーザー装置がネットワーク装置からの指示を受信することは、
前記ユーザー装置は前記ネットワーク装置からの、前記ＳＳＢの前記第１周波数領域位置を示すための第２メッセージを受信することを含むことを特徴とする請求項１０又は１１に記載の方法。
【請求項１４】
前記ユーザー装置がネットワーク装置からの指示を受信することは、
前記ユーザー装置は前記ネットワーク装置からの、前記第１周波数領域範囲を示すための第１メッセージを受信することと、
前記ユーザー装置は前記ネットワーク装置からの、前記ＳＳＢの前記第１周波数領域位置を示すための第２メッセージを受信することと、を含むことを特徴とする請求項１０又は１１に記載の方法。
【請求項１５】
前記ユーザー装置が前記第１メッセージ及び前記第２メッセージを受信することは、
前記第１メッセージ及び前記第２メッセージは前記ネットワーク装置により一括して送信されることを含むことを特徴とする請求項１４に記載の方法。
【請求項１６】
前記ユーザー装置がネットワーク装置からの前記第２メッセージを受信することは、物理放送チャネル（ＰＢＣＨ）における第１情報フィールドによって前記第２メッセージをベアリングすることを含み、前記第１情報フィールドはＲＭＳＩの制御リソースセット（ＣＯＲＥＳＥＴ）情報フィールドを含むことを特徴とする請求項１４又は１５に記載の方法。
【請求項１７】
前記ユーザー装置がネットワーク装置からの前記第１メッセージを受信することは、物理放送チャネル（ＰＢＣＨ）における前記第１情報フィールド以外の第２情報フィールドによって前記第１メッセージをベアリングすることを含むことを特徴とする請求項１６に記載の方法。
【請求項１８】
前記第２情報フィールドは物理リソースブロック（ＰＲＢ）グリッドオフセット（ｇｒｉｄ  ｏｆｆｓｅｔ）情報フィールドにおける符号化ビット、ＲＭＳＩのサブキャリア間隔（ＳＣＳ）情報、セルアクセス禁止指示情報、同一周波数再選択情報のうちの少なくとも１つを含むことを特徴とする請求項１７に記載の方法。
【請求項１９】
ネットワーク装置であって、処理ユニット及び通信ユニットを備え、
前記処理ユニットは、第１周波数領域範囲内の同期信号ブロック（ＳＳＢ）の第１周波数領域位置を示すための指示を前記通信ユニットによってユーザー装置に送信することに用いられることを特徴とするネットワーク装置。
【請求項２０】
ユーザー装置であって、処理ユニット及び通信ユニットを備え、
前記処理ユニットは、ネットワーク装置からの、第１周波数領域範囲内の同期信号ブロック（ＳＳＢ）の第１周波数領域位置を示すための指示を前記通信ユニットによって受信することに用いられ、
前記処理ユニットは更に、前記指示に基づいてＳＳＢを検出することに用いられることを特徴とするユーザー装置。
【請求項２１】
コンピュータ可読記憶媒体であって、電子データ交換のためのコンピュータプログラムが記憶され、前記コンピュータプログラムがコンピュータに実行されるとき、コンピュータが請求項１〜９のいずれか１項に記載の方法におけるステップを実行することを特徴とするコンピュータ可読記憶媒体。
【請求項２２】
コンピュータ可読記憶媒体であって、電子データ交換のためのコンピュータプログラムが記憶され、前記コンピュータプログラムがコンピュータに実行されるとき、コンピュータが請求項１０〜１８のいずれか１項に記載の方法におけるステップを実行することを特徴とするコンピュータ可読記憶媒体。
【国際調査報告】
2021513807.tif 000023
2021513807.tif 000024
2021513807.tif 000025
2021513807.tif 000026